(57)【要約】【課題】音声をデジタル送信データとして送受信する技術において、送信データにチャネルデータを付加することで、複数系統間の相互変調による妨害波の影響を効果的に排除する。【解決手段】復調切替制御部８は、複数の系統の受信手段からの送信データの切替スイッチの役割を果たし、受信した送信データから、スケルチ等信号処理部９が、ＤＳＰやＦＰＧＡなどを用い、所定の送信側と対応するＣＯＤＥＣ規則にしたがい、アナログ音声出力信号を復元する。その際、復調切替制御部８のチャネル判別部８１は、送信データの所定部分から、送信に係るチャネルを表すチャネルデータを読み出すとともに、その送信データに係る前記受信手段との一致不一致を判別し不一致の場合は、スケルチ等信号処理部９における上記のような復元処理を抑止する。【選択図】図１
2005210406.tif 000002
【特許請求の範囲】
【請求項１】
複数の通信チャネルのうちから送信に係るチャネルの選択を受け付ける手段と、
音声の入力を受け付けてその音声の情報を送信データに加工する手段と、
選択されている前記送信に係るチャネルを表すチャネルデータを、送信しようとする前記送信データに付加する手段と、
前記チャネルデータが付加された前記送信データを所定の搬送波で送信する手段と、
を備えたことを特徴とする送信機。
【請求項２】
通信の対象となる複数の各チャネルに対応し所定の送信データを受信する系統ごとの受信手段と、
いずれかの前記受信手段が受信した前記送信データから、出力すべき音声信号を復元する手段と、
前記受信手段が受信した前記送信データの所定部分から、送信に係るチャネルを表すチャネルデータを読み出すとともに、そのチャネルデータと、その送信データに係る前記受信手段との一致不一致を判別し不一致の場合は前記復元を抑止する手段と、
を備えたことを特徴とする受信機。
【請求項３】
請求項１の送信機と、請求項２の受信機と、を含むことを特徴とする送受信システム。
【請求項４】
音声を送受信する送受信方法であって、
送信側において、
複数の通信チャネルのうちから送信に係るチャネルの選択を受け付け、
音声の入力を受け付けてその音声の情報を送信データに加工し、
選択されている前記送信に係るチャネルを表すチャネルデータを、送信しようとする前記送信データに付加し、
前記チャネルデータが付加された前記送信データを所定の搬送波で送信し、
受信側では、
通信の対象となる複数の各チャネルに対応し所定の送信データを受信する系統ごとの複数の受信手段のうちいずれかの前記受信手段が受信した前記送信データから、出力すべき音声信号を復元し、
前記受信手段が受信した前記送信データの所定部分から、送信に係るチャネルを表すチャネルデータを読み出すとともに、そのチャネルデータと、その送信データに係る前記受信手段との一致不一致を判別し不一致の場合は前記復元を抑止することを特徴とする送受信方法。
【発明の詳細な説明】
【技術分野】
【０００１】
本発明は、音声をデジタル送信データとして送受信する技術の改良に関するもので、特に、送信データにチャネルデータを付加することで、複数系統間の相互変調による妨害波の影響を効果的に排除するようにしたものである。
【背景技術】
【０００２】
近年、デジタル技術の発達に伴い、各種電話機を含む無線通信の分野でも、デジタル無線通信が急速に普及しつつある（例えば、特許文献１）。無線通信の分野において、ノイズ除去技術として以前から知られているスケルチには、キャリア、ノイズ、デジタルコードなどの各方式があり、これらによって外来電波やノイズ等の妨害波による受信障害の発生を防止してきた。
【特許文献１】特開平８−３３１６４８
【発明の開示】
【発明が解決しようとする課題】
【０００３】
しかしながら、上記のような従来技術では、同一システム内に複数のチャネル系統があったり、特に複数を同時並行使用した場合、相互変調等により発生した妨害波を、デジタルコードスケルチで排除することは難しかった。このため、意図しないチャネルの受信系統を動作させてしまい、受信出力へ悪影響を与えたり、多チャンネルでの運用が困難という問題点があった。
【０００４】
本発明は、上記のような従来技術の課題を解決するもので、その目的は、音声をデジタル送信データとして送受信する技術において、送信データにチャネルデータを付加することで、複数系統間の相互変調による妨害波の影響を効果的に排除するようにしたものである。
【課題を解決するための手段】
【０００５】
上記目的を達成するため、請求項１の送信機は、複数の通信チャネルのうちから送信に係るチャネルの選択を受け付ける手段と、音声の入力を受け付けてその音声の情報を送信データに加工する手段と、選択されている前記送信に係るチャネルを表すチャネルデータを、送信しようとする前記送信データに付加する手段と、前記チャネルデータが付加された前記送信データを所定の搬送波で送信する手段と、を備えたことを特徴とする。
【０００６】
請求項２の受信機は、通信の対象となる複数の各チャネルに対応し所定の送信データを受信する系統ごとの受信手段と、いずれかの前記受信手段が受信した前記送信データから、出力すべき音声信号を復元する手段と、前記受信手段が受信した前記送信データの所定部分から、送信に係るチャネルを表すチャネルデータを読み出すとともに、そのチャネルデータと、その送信データに係る前記受信手段との一致不一致を判別し不一致の場合は前記復元を抑止する手段と、を備えたことを特徴とする。
【０００７】
請求項３の送受信システムは、請求項１の送信機と、請求項２の受信機と、を含むことを特徴とする。
【０００８】
請求項４の送受信方法は、音声を送受信する送受信方法であって、送信側において、複数の通信チャネルのうちから送信に係るチャネルの選択を受け付け、音声の入力を受け付けてその音声の情報を送信データに加工し、選択されている前記送信に係るチャネルを表すチャネルデータを、送信しようとする前記送信データに付加し、前記チャネルデータが付加された前記送信データを所定の搬送波で送信し、受信側では、通信の対象となる複数の各チャネルに対応し所定の送信データを受信する系統ごとの複数の受信手段のうちいずれかの前記受信手段が受信した前記送信データから、出力すべき音声信号を復元し、前記受信手段が受信した前記送信データの所定部分から、送信に係るチャネルを表すチャネルデータを読み出すとともに、そのチャネルデータと、その送信データに係る前記受信手段との一致不一致を判別し不一致の場合は前記復元を抑止することを特徴とする。
【０００９】
本発明では、目的とする希望波のチャネルについて、送信側で送信データに付加したチャネルのデータにより、受信側で一致を確認した受信機や受信系統のみ動作させ、不一致なら動作を停止する。このため、相互変調で発生した妨害波の影響を効果的に排除し多チャネルの使用が容易になる。
【発明の効果】
【００１０】
以上のように、本発明によれば、音声をデジタル送信データとして送受信する技術において、送信データにチャネルデータを付加することで、複数系統間の相互変調による妨害波の影響を効果的に排除することができる。
【発明を実施するための最良の形態】
【００１１】
次に、本発明を実施するための最良の形態（以下「実施形態」と呼ぶ）について添付の図を参照して説明する。
【００１２】
〔１．構成〕
本実施形態は、図１（ａ）に示すデジタル送信機ＴＸと、図１（ｂ）に示すデジタル受信機ＲＸと、これらを組み合わせて用いる送受信システム及び送受信方法に関するもので、図１に示す送信機ＴＸ及び受信機ＲＸの各部分は、下記のような作用機能を実現する各手段として、ハードウェア及びソフトウェアにより構成される。なお、ここでいうハードウェア及びソフトウェアは、ケース、電源、マイクロフォン、アンテナ、スピーカなどの機械部品、ワイヤードロジックやＡＳＩＣなどの情報処理回路、コンピュータプログラム、ＦＰＧＡによるプログラマブルコントローラなど、各種のレベルの技術要素を任意に組み合わせて実現しうる。
【００１３】
〔２．作用〕
図１に示す本実施形態の作用を、図２のフローチャートを参照しながら説明する。
〔２−１．送信〕
まず（図１）、送信機ＴＸのマイクロフォン（ＭＩＣ）、音声入力部１、信号処理部２は、音声の入力を受け付けてその音声の情報を送信データに加工する手段を構成する。具体的には、音声入力部１は、ＭＩＣからのアナログ音声信号を、アンプやＡ／Ｄ（アナログ／デジタル）変換回路などにより波形のレベル値等のデジタルデータへ変換する。このデジタルデータに対し、信号処理部２は、ＤＳＰ（デジタルシグナルプロセッサ／デジタルサウンドプロセッサ）やＦＰＧＡなどにより、所定のサンプリング周波数・量子化ビット数などのサンプリングレートや圧縮形式などのＣＯＤＥＣ規則を適用することにより、所定形式の送信データを得る。
【００１４】
ここで、入力スイッチＳＷ及びチャネル制御部５は、複数の通信チャネルのうちから送信に係るチャネルの選択をユーザから受け付ける手段を構成する。具体的には、入力スイッチＳＷは、ロータリースイッチやスライドスイッチなどのハードウェアスイッチで、これによりユーザが、例えば４つの送受信チャネルのなかから送信にかかる送信チャネルを選択すると、その送信チャネルをチャネル制御部５が、所定の不揮発性メモリに記録しておくとともに、信号処理部２のチャネルデータセット書込み部２１やチャネル変調送信部３へ伝達する。
【００１５】
そして、信号処理部２のチャネルデータセット書込み部２１は、入力スイッチＳＷにより選択されている送信チャネルをチャネル制御部５から読み込み（図２のステップ１１）、その送信チャネルを表すチャネルデータを、信号処理部２において上記のように得た送信データの所定部分にセットすなわち付加する（ステップ１２）。なお、チャネルデータは例えば、送信データの送信単位となるフレームやパケットのヘッダーに付加してもよいし、所望の形式で重畳等してもよい。また、全ての送信単位ごとにチャネルデータを付加すれば本発明の効果がより確実に得られる。
【００１６】
そして、上記のようにチャネルデータがセットされた送信データについて、チャネル変調送信部３は、実現態様によっては誤り訂正符号を付加したうえ（ステップ１３）、モデムＩＣやＬＰＦ（ローパスフィルタ）などにより、アンテナ４を通じ所定の搬送波で送信する。
【００１７】
〔２−２．受信〕
上記のように送信された搬送波を受信する受信機ＲＸにおいて、アンテナ６Ａ〜６Ｄと、それぞれに対応するチャネル入力部７Ａ〜７Ｄは、通信の対象となる複数の各チャネルに対応し送信データを受信する系統ごとの受信手段で、各系統は同等に構成すればよい。具体的には、例えば、チャネル入力部７Ａは、ＢＰＦ（バンドパスフィルタ）、ＲＦアンプ、モデムＩＣなどにより、アンテナ６Ａの感知する搬送波から送信データを取り出す。このようにいずれかの受信手段が受信した送信データから、出力すべき音声信号を復元する手段を構成しているのが、復調切替制御部８と、スケルチ等信号処理部９と、音声出力部１０と、スピーカＳＰである。
【００１８】
すなわち、復調切替制御部８は、複数の系統の受信手段からの送信データの切替スイッチの役割を果たし、受信した送信データから、スケルチ等信号処理部９が、ＤＳＰやＦＰＧＡなどを用い、送信側と対応するＣＯＤＥＣ規則にしたがい、アナログ音声出力信号を復元し、その信号をアンプなどを用いた音声出力部１０がスピーカＳＰへ出力する。
【００１９】
その際、復調切替制御部８のチャネル判別部８１は、前記送信データの所定部分から、送信に係るチャネルを表すチャネルデータを読み出すとともに、その送信データに係る前記受信手段との一致不一致を判別し不一致の場合は、スケルチ等信号処理部９へ制御信号を送ることで上記のような復元処理を抑止する。
【００２０】
すなわち、受信機ＲＸ側において、まず、チャネル判別部８１が受信対象とする受信チャネルを読み込んで（図２のステップ２１）所定のメモリ領域にセットする（ステップ２２）。受信機ＲＸ側における受信チャネルは、送信機ＴＸの入力スイッチＳＷやチャネル制御部５に準じる図示しない手段でユーザに選択させてもよいし、受信開始当初に送信機ＴＸから送られて来るチャネルデータに基いて決めてもよいし、搬送波の周波数や時分割多重のタイムスライス、ＣＤＭＡにおけるスペクトラム拡散パタンなどに応じて送信データが入電する受信手段の系統から自動判別してもよいし、これらを併用してもよい。
【００２１】
そして、送信データの受信があると（ステップ２３）、必要な誤り訂正処理のうえ（ステップ２４）、復調切替制御部８のチャネル判別部８１は、その送信データから読み出したチャネルと受信手段の系統の一致不一致を判別し（ステップ２５）一致の場合はスケルチ等信号処理部９に動作開始させる（ステップ２６）。この動作開始後も同様に、復調切替制御部８のチャネル判別部８１は上記のような受信待受け（ステップ２７）、誤り訂正処理（ステップ２８）、一致の判定（ステップ２９）を続行し、不一致の場合は（ステップ２９）、スケルチ等信号処理部９における上記のような復元処理を抑止すなわち動作停止させる（ステップ３０）。
【００２２】
〔３．効果〕
以上のように、本実施形態では、目的とする希望波のチャネルについて、送信側で送信データに重畳等で付加したチャネルのデータにより、受信側で一致を確認した受信機や受信系統のみ動作させ、不一致なら動作を停止する。このため、相互変調で発生した妨害波を受信しても目的の送信波でなければ受信せず、意図しない受信系が動作するなどの影響を効果的に排除し多チャネルの使用が容易になる。
【００２３】
〔４．他の実施形態〕
なお、本発明は上記実施形態に限定されるものではなく、誤り訂正に関する構成や作用（例えば図２に破線で示すステップ１３，２４，２８）は省略可能であるなど、他のさまざまな実施形態を含むものである。
【図面の簡単な説明】
【００２４】
【図１】本発明の実施形態の構成を示す機能ブロック図。
【図２】本発明の実施形態における処理手順を示すフローチャート。
【符号の説明】
【００２５】
ＭＩＣ…マイクロフォン
１…音声入力部
２…信号処理部
３…チャネル変調送信部
４，６Ａ〜６Ｄ…アンテナ
５…チャネル制御部
７Ａ〜７Ｄ…チャネル入力部
８…復調切替制御部
８１…チャネル判別部
９…スケルチ等信号処理部
１０…音声出力部
ＳＰ…スピーカ
【図１】
2005210406.tif 000003
【図２】
2005210406.tif 000004